(57)【要約】【課題】放送受信におけるチャンネルの自動スキャンの精度をより向上することができる技術を提供する。【解決手段】地域における放送局に割り当てられている物理チャンネルを走査して受信チャンネルを取得するチャンネル取得手段と、前記チャンネル取得手段にある時間帯に走査を行わせる制御手段とを備え、この制御手段はある時間帯に放送局の変更・追加を検知した場合、この時間帯とは別の時間帯に前記走査を行わせ、両走査の結果が同じ場合に放送局の変更・追加を実施する放送受信装置。【選択図】  図３
2012253467.tif 000002
【特許請求の範囲】
【請求項１】
地域における放送局に割り当てられている物理チャンネルを走査して受信チャンネルを取得するチャンネル取得手段と、
前記チャンネル取得手段にある時間帯に走査を行わせる制御手段とを備え、
この制御手段はある時間帯に放送局の変更・追加を検知した場合、この時間帯とは別の時間帯に前記走査を行わせ、両走査の結果が同じ場合に放送局の変更・追加を実施する放送受信装置。
【請求項２】
前記制御手段は、更に前記結果が同じ放送局に前記変更・追加を実施し、この結果が同じではない放送局に前記変更・追加の実施を抑制する請求項１に記載の放送受信装置。
【請求項３】
更に外部からの前記時間帯の設定手段を備え、この設定手段の設定に基づいて前記チャンネル取得手段は走査を行う請求項１に記載の放送受信装置。
【請求項４】
前記設定は、走査を禁止する時間帯の設定である請求項３に記載の放送受信装置。
【請求項５】
地域における放送局に割り当てられている物理チャンネルをある時間帯に走査して受信チャンネルを取得し、
この時間帯に放送局の変更・追加を検知した場合、この時間帯とは別の時間帯に前記走査を行い、両走査の結果が同じ場合に放送局の変更・追加を実施する放送受信方法。
【発明の詳細な説明】
【技術分野】
【０００１】
本発明の実施形態は、受信チャンネルを設定する放送受信装置及び放送受信方法に関する。
【背景技術】
【０００２】
2011年の地上アナログ放送終了にともない、TVは地上デジタル放送対応TVへの置き換えが進んでいる。
一方、地上デジタル放送のチャンネル設定は、受信地点における全受信可能チャンネルをサーチし、service_idに基づくサービスリスト（受信可能周波数テーブル）を作成する必要がある。つまり、受信地点に基づき視聴者居住地域を設定した後、物理チャンネル13chから62chをスキャンして、サービスリストを取得する。放送波で送られるNIT(Network Information Table)内には、remote_control_key_idが記載されており、放送事業者が望むリモコンキー番号１〜１２をTS毎に割り当てる。
【０００３】
これによって、TS毎の代表的なサービスがリモコンキーに割り付けられる。このように地上デジタル放送のチャンネル設定は物理チャンネル13chから62chのサーチが必要であり、この設定はある時間帯に行われていた。例えば、特許文献１には、現在時刻の属する時間帯に、制御手段はメモリに記憶された禁止時間帯情報に基いて、受信周波数の変更を禁止または許可するかを判断する車載用受信装置が記載されている。この禁止時間帯情報は、系列局におけるローカル番組の受信を妨げるためのものである。
【０００４】
しかしながら他方で、一般に自動スキャンを行う際の精度の向上への要望がある。
【先行技術文献】
【特許文献】
【０００５】
【特許文献１】特開２０００−２０９０７１号公報（請求項５）
【発明の概要】
【発明が解決しようとする課題】
【０００６】
本発明の実施の形態は、放送受信におけるチャンネルの自動スキャンの精度をより向上することができる技術を提供することを目的とする。
【課題を解決するための手段】
【０００７】
上記課題を解決するために、実施形態によれば放送受信装置は、地域における放送局に割り当てられている物理チャンネルを走査して受信チャンネルを取得するチャンネル取得手段と、前記チャンネル取得手段にある時間帯に走査を行わせる制御手段とを備え、この制御手段はある時間帯に放送局の変更・追加を検知した場合、この時間帯とは別の時間帯に前記走査を行わせ、両走査の結果が同じ場合に放送局の変更・追加を実施する。
【図面の簡単な説明】
【０００８】
【図１】この発明の一実施形態に用いられる作成された受信可能周波数テーブルの一例。
【図２】同実施形態に用いられるテーブルの図。
【図３】実施例1, 2, 4の装置を示す機能ブロック図。
【図４】同実施形態の例を示すテーブルの図。
【図５】同実施形態に用いられるリモコンを示す図。
【図６】同実施形態に係わるテレビ受信装置の構成を概略的に示すブロック図。
【図７】実施例3の装置を示す機能ブロック図。
【発明を実施するための形態】
【０００９】
以下、実施形態を図１乃至図７を参照して説明する。
（放送受信装置の構成と動作）
まず、本発明の一実施形態であるテレビ受信装置を、図６を用いて説明する。
図６は、後に述べる図３，７のシステムを適用する放送受信装置の一実施形態であるデジタル放送受信装置等のテレビ受信装置の構成の一例を示すブロック図である。
【００１０】
このテレビ受信装置は、地上アナログ放送波、並びにＢＳ、ＣＳ及び地上デジタル放送波を受信可能であり、マイクロプロセッサ１０、デジタル用チューナ１１および１２、デジタル用復調器１３および１４、及びＴＳ復号器１５を備えている。
【００１１】
ＢＳ、ＣＳ及び地上デジタル放送波は、アンテナ３で受信され、この受信信号がデジタル用チューナ１１および１２に供給される。デジタル用チューナ１１および１２は、フェーズロックドループ(ＰＬＬ)方式を採用し、マイクロプロセッサ１０の制御により中心周波数及び帯域幅等の受信パラメータを指定してそれぞれ所望の放送波を選局するために用いられる。
【００１２】
デジタル用チューナ１１で選局した放送波の受信信号は、例えば日本の地上デジタル放送の場合にＯＦＤＭ(orthogonal frequency division multiplexing)方式のデジタル用復調器１３及びＴＳ復号器１５に順次供給され、これらでデジタル映像信号及び音声信号に復調及び復号される。同様にデジタル用チューナ１２で選局された受信信号は、デジタル用復調器１４及びＴＳ復号器１５に順次供給され、これらでデジタル映像信号及び音声信号に復調及び復号される。
【００１３】
このテレビ受信装置は、更に、信号処理部１６、グラフィック処理部１７、ＯＳＤ(on screen display)信号生成部１８、映像処理部１９、ディスプレイ２０、音声処理部２１、スピーカー２２、操作パネル２３、赤外線受光部２４、リモコン２５、フラッシュメモリ２６、ＵＳＢ(Universal Serial Bus)コネクタ２７、カードコネクタ２８、及びネットワーク通信回路２９を備える。信号処理部１６は、ＴＳ復号器１５からのデジタル映像信号及び音声信号に対して選択的に所定のデジタル信号処理を施し、それぞれグラフィック処理部１７及び音声処理部２１に出力する。
【００１４】
グラフィック処理部１７は、信号処理部１６から出力されたデジタル映像信号にＯＳＤ信号生成部１８で生成されたＯＳＤ信号を選択的に重畳して出力する。映像処理部１９は、グラフィック処理部１７から出力されたデジタル映像信号に対してディスプレイ２０に適合させる例えばサイズ調整等の変換を行う。ディスプレイ２０は、映像処理部１９から出力された映像信号に対応する映像を表示する。音声処理部２１は、信号処理部１６から出力されたデジタル音声信号をスピーカー２２に適合させる音量調整等の変換を行う。スピーカー２２は、音声処理部２１から出力された音声信号に対応する音声を再生する。
【００１５】
マイクロプロセッサ１０は、操作パネル２３からの操作情報、またはリモコン２５から送出され赤外線受光部２４で受信された操作情報を受けて、その操作内容が反映されるように各コンポーネントを制御する。ここで、操作パネル或いはキーボード２３及びリモコン２５は、ユーザーインタフェースとして機能する操作モジュールに相当している。図６に示すように、マイクロプロセッサ１０は、様々な処理及び制御を行うＣＰＵ(central processing unit）３１、このＣＰＵ３１の制御プログラム及び様々な初期データを保持するＲＯＭ(read only memory）３２、ＣＰＵ３１の入出力情報を一時的に格納する作業エリアを提供するＲＡＭ(random access memory）３３、Ｉ２Ｃバス等を介して各コンポーネントに対する設定情報及び制御情報を入出力するインタフェース３４、及び放送波やネットワーク経由で取得される時刻情報及び日付情報に従って補正される時計回路３５を含んでいる。
【００１６】
ＵＳＢコネクタ２７は、様々なＵＳＢ機器を接続するために設けられている。カードコネクタ２８は、様々なメディアカードを接続するために設けられている。また、ネットワーク通信回路２９は、インターネットに直接あるいはＬＡＮ(local area network)経由で接続されている。時刻情報を放送波から取得する場合は、アンテナ１で受信した信号から、また時刻情報等基礎データをネットワークから取得する場合は、ネットワーク通信回路２９から、それぞれマイクロプロセッサ１０に取り込まれる。
【００１７】
またＵＳＢコネクタ２７やカードコネクタ２８は、外部からＵＳＢ機器（メモリ等）やメディアカードを接続して動画、写真、音楽データを読み出すことができる。
マイクロプロセッサ１０は、ＵＳＢコネクタ２７に接続されるＵＳＢメモリやカードコネクタ２８に接続されるメディアカードにファイルとして保持される映像を取り込み、信号処理部１６、グラフィック処理部１７、及び映像処理部１９での処理を経て各映像をディスプレイ２０に表示させる制御を行えるように構成されている。
【００１８】
なおＵＳＢ(Universal Serial Bus)コネクタ２７、カードコネクタ２８などは、全てのテレビ受信装置に備えられているものではない。
さて2011年の地上アナログ放送終了にともない、TVは地上デジタル放送対応TVへの置き換えが進んでいる。一方、地上デジタル放送のチャンネル設定は、受信地点における全受信可能チャンネルをサーチし、service_idに基づくサービスリスト（受信可能周波数テーブル）を作成する必要がある。
【００１９】
つまり、受信地点に基づき視聴者居住地域を設定した後、物理チャンネル13chから62chをスキャンして、サービスリストを取得する。放送波で送られるNIT内には、remote_control_key_idが記載されており、放送事業者が望むリモコンキー番号１〜１２をTS毎に割り当てる。これによって、TS毎の代表的なサービスがリモコンキーに割り付けられる。このように地上デジタル放送のチャンネル設定は物理チャンネル13chから62chのサーチが必要であり、この設定はある時間帯に行われていた。
【００２０】
現在発売されているデジタルテレビには、地上デジタル放送のスキャン機能、およびユーザの電源オフ時に自動でスキャンを行う処理が備わっている。
[地上デジタル放送のスキャンについて]
地上デジタル放送のスキャンは、物理周波数ごとに放送局の有無をチェックし、受信できた放送局の情報を放送局リストに登録する。放送局リストには、放送局の情報とともに、その放送局を受信するための周波数も登録される。
【００２１】
周波数Aと周波数Bとで同じ放送局を受信した場合では、受信状態(C/N比: Carrier to Noise Ratio)の良い方を放送局リストに登録する。
【００２２】
図１は作成された受信可能周波数テーブルの一例であり、UHF帯で放送される地上デジタル放送の場合、13chから62chのいずれかが、ARIB-TR-B14規格に基づきチャンネルキー１から１２のいずれかに設定される。
【００２３】
物理チャンネルをスキャンし、選局に必要なservice_idやnetwork_id等を取得し、リモコンキー番号、選局周波数とともに関連付けられてTV内のNVRAM（フラッシュメモリ２６）へ図４に示されるようなテーブルとして記憶される。TVにおいて初期スキャンを実施し、図１のような設置地域における受信可能周波数テーブルが作成される。
【００２４】
[自動スキャンについて]
ユーザが電源をオフしたとき、受信機はパネルの電源を落とした状態で、地上デジタル放送のスキャンを行う(自動スキャン)。自動スキャンは、ユーザが地上デジタル放送のスキャンが済んでいる状態で行われる。自動スキャンで放送局の追加・変更を検知した場合は、不揮発メモリの放送局リストの情報を更新する。
【００２５】
自動スキャンはユーザの電源オフ時に行われるが、深夜で停波している放送局があることを考慮し、深夜には行わないようになっている(自動スキャンを行わない時間帯がある)。
【００２６】
[問題点]
周波数Aと周波数Bとで同じ放送局が受信できる環境で地上デジタル放送のスキャンを行うと、周波数Aと周波数Bの受信状態(C/N比)の優劣が時間帯によって変わる場合がある。
【００２７】
例えば「昼間にスキャンをすると周波数Aでは受信良好, 周波数Bでは受信不良」で「夜間にスキャンをすると周波数Aでは受信良好, 周波数Bでは周波数Aよりも受信良好」というケースでは、夜間に自動スキャンが行われたとき、周波数Bの方が放送局リストに登録されてしまう(周波数Aの方は放送局リストから削除される)。この状態で昼間にユーザが選局を行うと、受信状態の悪い周波数Bで選局を行うようになってしまい、正しく視聴ができなくなってしまう。
【００２８】
〈実施形態の要点の説明〉
一般市販のTVにおいては、受信地点における全受信可能なチャンネルをスキャンし、受信可能周波数テーブルが作成される。テレビで行う初期スキャンなる操作になる。
【００２９】
図７は作成された受信可能周波数テーブルの一例であり、UHF帯で放送される地上デジタル放送の場合、13chから62chのいずれかが、ARIB-TR-B14規格に基づきチャンネルキー１から１２のいずれかに設定される。
【００３０】
[ポイント]
自動スキャンで放送局の変更・追加を検知した場合、その後あらためて別の時間帯(例えば昼間)でも自動スキャンを行い、そこでも放送局の変更・追加を検知できた場合のみ、放送局リストの変更を行うこととする。
【００３１】
また、設定メニューや隠しメニューなどで”自動スキャンを行わない時間”をユーザが設定できるようにすることで、上記環境のユーザの環境で、頻繁に放送局リストの変更が行われないようにすることも可能である。
【００３２】
(実施例1)
図３は、テレビ受信装置の構成のうち実施形態で中心となる機能ブロック図である。地上デジタルチューナー1, 2は夫々デジタル用チューナ１１および１２に相当し、復調器はデジタル用復調器１３および１４に相当している。また、ＴＳプロセッサ３６、VIDEOデコーダ３７、AUDIOデコーダ３８は、ＴＳ復号器１５の機能に含まれる。
【００３３】
不揮発性メモリ３９は、NVRAM（フラッシュメモリ２６）でもよいが、１バイト単位での書き込み処理が可能なシリアルＥＥＰＲＯＭ（Electronically Erasable and Programmable Read Only Memory）が多く用いられている。この場合は、不揮発性メモリであるシリアルＥＥＰＲＯＭを備えていて、シリアルＥＥＰＲＯＭは、ＩＩＣ（Inter Integrated Circuit）コントローラを介してバスに接続される構成を採ることもできる。ＩＩＣは、同一基板内などの近距離に配置されたデバイス間での高速通信を行うための方式である。
【００３４】
地上デジタル放送のスキャンの際には、地上デジタルチューナー1または2で受信した信号を復調器１３＆１４によりTSに復調する。復調されたTSがTSプロセッサ３６に入力され、このTSの解析が行われ、該TSを送出している放送局を決定する。受信機は、地上デジタルチューナー1で視聴を行っている場合でも、地上デジタルチューナー2を使用してスキャンを行うことが可能である。
【００３５】
ユーザが機器の電源をオフしたときに、自動スキャンが行われ、放送局リストの変更・追加を検出した場合、受信機は不揮発メモリに”自動スキャンで検出したチャンネル追加・変更情報, スキャン時刻”を保持しておく。その後、ユーザが電源オンした場合、時刻情報を取得し、昼間であることが確認できれば、もう一度自動スキャンを行う。ここでチャンネルの追加・変更を検出し、それが保持していた”自動スキャンで検出したチャンネル追加・変更情報, スキャン時刻”と一致していれば、放送局リストを更新する。
【００３６】
(実施例2)
上記実施例1では昼間に再度自動スキャンを行い、”自動スキャンで検出したチャンネル追加・変更情報, スキャン時刻”と比較を行っているが、この比較を行うことなく、昼間の自動スキャンの結果をもとに放送局リストを更新してもよい。
【００３７】
(実施例3)
図７は、テレビ受信装置の構成のうちこの実施形態で中心となる機能ブロック図である。地上デジタルチューナー1はデジタル用チューナ１１に相当し、復調器はデジタル用復調器１３に相当している。また、ＴＳプロセッサ７６は、ＴＳ復号器１５の機能に含まれ、ＴＳプロセッサ３６と比べ一系統のTSを扱えればよい構成である。
【００３８】
上記実施例1,2は地上デジタルチューナーを2基搭載した例を示しているが、1基のみを搭載したブロック図７においても似た処理が可能である。
自動スキャンで放送局リストの変更・追加を保持した場合、次にユーザが昼間に電源オフを行った場合に再度スキャンを行うこととし、その結果が”自動スキャンで検出したチャンネル追加・変更情報, スキャン時刻”と一致していれば、放送局リストを更新する。
【００３９】
〈実施形態のポイント〉
上記実施形態により、夜間の自動スキャンにより放送局リストが変更されてしまうことを防ぎ、ユーザの利便性を損なわないことが期待できる。
（１）自動スキャンで放送局の追加・変更を検知した場合に、別の時間帯にあらためて自動スキャンを実行することにより、放送局の検出精度を上げるとともに、誤検出を防ぐ。
【００４０】
（２）自動スキャンを行わない時間をユーザに設定する手段を搭載することで、特定の（例えば、電波塔から離れている、基地局から遠い、朝は特定局を受信できなくなっている等）ユーザのところで発生する誤検出を防ぐ。
【００４１】
効果として、検出の精度向上と、誤検出によって放送局リストを誤って更新してしまい、ユーザに不利益を与えないようにすることが期待される。
なお、この発明は上記実施形態に限定されるものではなく、この外その要旨を逸脱しない範囲で種々変形して実施することができる。例えば、設定メニューや隠しメニューなどで”自動スキャンを行わない時間”をユーザが設定できるようにすることにより、上記環境のユーザ環境で、頻繁に放送局リストの変更が行われないようにすることも可能である。
【００４２】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４３】
１０…マイクロプロセッサ、１６…信号処理部、１７…グラフィック処理部、１８…ＯＳＤ信号生成部、１９…映像処理部、２０…ディスプレイ、２３…操作パネル、２４…赤外線受光部、２５，Ｒ…リモコン、２６…フラッシュメモリ、２７…ＵＳＢコネクタ、２８…カードコネクタ、２９…ネットワーク通信回路、８０ａ…選局キー、８０ｂ…決定キー、８０ｃ…戻るキー、８０ｄ…十字キー。
【図１】
2012253467.tif 000003
【図２】
2012253467.tif 000004
【図３】
2012253467.tif 000005
【図４】
2012253467.tif 000006
【図５】
2012253467.tif 000007
【図６】
2012253467.tif 000008
【図７】
2012253467.tif 000009